(57)【要約】【課題】従来のＶＴＲでは、予約録画の時間帯が重なっても、いずれの番組をも録画することができなかった。複数のＶＴＲを操作してその機能を実現する場合、操作が煩雑であった。【解決手段】第１の映像記録再生装置は、タイマー予約時に、既に当該時間に予約が入っている場合に、第２の映像記録再生装置に対して、録画予約コマンドを発行する。第２の映像記録再生装置は、番組予約コマンドに従って当該番組を録画する。【選択図】  図１
2004153520.tif 000002
【特許請求の範囲】
【請求項１】
第１の映像記録再生装置から第２の記録再生装置の動作を制御可能であり、利用者が第１の映像記録再生装置に対して番組の録画予約操作を行なったときに、第１の映像記録再生装置は自己の録画予約状況を確認して、上記番組の録画時間帯が既存の他の番組の録画予約時間帯と重なっている場合には、第２の映像記録再生装置に対して上記番組の録画予約制御を行ない、第２の映像記録再生装置は上記録画予約情報に基づいて上記番組を録画することを特徴とする映像記録再生システム。
【請求項２】
第１の映像記録再生装置から第２の記録再生装置の動作を制御可能であり、利用者が第１の映像記録再生装置に対して番組の録画予約操作を行なったときに、第１の映像記録再生装置は自己の録画予約状況を確認して、上記番組の録画時間帯が既存の他の番組の録画予約時間帯と重なっている場合には、番組情報を記憶し、番組の放送開始時刻に第２の映像記録再生装置に対して上記番組の録画開始制御コマンドを発行し、番組の放送終了時刻に第２の映像記録再生装置に対して上記番組の録画停止制御コマンドを発行し、第２の映像記録再生装置は上記コマンドに基づいて上記番組の録画開始と録画停止を行なうことを特徴とする映像記録再生システム。
【請求項３】
請求項１又は請求項２記載の映像記録再生システムであって、第２の映像記録再生装置の出力は第１の映像記録再生装置の入力に接続され、第１の映像記録再生装置は第２の映像記録再生装置に録画された前記番組の録画情報を保持し、利用者が第１の映像記録再生装置に対して録画番組選択操作を行なったときに前記番組を含めた選択画面を出力し、利用者が前記番組の再生を選択すると、第２の映像記録再生装置に対して、前記番組の再生制御コマンドを発行し、同時に、第２の映像記録再生装置の出力が接続された入力を出力として選択し、第２の映像記録再生装置は、前記番組の再生を開始することを特徴とした、映像記録再生システム。
【請求項４】
請求項１又は請求項２記載の映像記録再生システムであって、映像記録再生装置間は転送可能なデータ伝送路で接続され、第２の映像記録再生装置において前記番組の録画が終わった後に、第１の映像記録再生装置は第２の映像記録再生装置に対して、前記番組の転送制御コマンドを発行し、第２の映像記録再生装置は前記番組の録画データを第１の映像記録再生装置に転送し、第１の映像記録再生装置は前記番組の録画データを記録し、記録した前記番組の録画情報を保持し、利用者が第１の映像記録再生装置に対して録画番組選択操作を行なったときに前記番組を含めた選択画面を出力し、利用者が前記番組の再生を選択すると、記録した前記番組再生を開始することを特徴とした、映像記録再生システム。
【請求項５】
請求項１又は請求項２記載の映像記録再生システムであって、第２の映像記録再生装置の出力は第１の映像記録再生装置の入力に接続され、第１の映像記録再生装置は第２の映像記録再生装置に録画された前記番組の録画情報を保持し、第２の映像記録再生装置において前記番組の録画が終わった後に、第１の映像記録再生装置は第２の映像記録再生装置に対して、前記番組の再生制御コマンドを発行し、同時に、第２の映像記録再生装置の出力が接続された入力を出力として選択し、第２の映像記録再生装置は、前記番組の再生を開始し、第１の映像記録再生装置は前記番組の記録を開始し、前記番組の再生時間経過後に記録を停止し、記録した前記番組の録画情報を保持し、第２の映像記録再生装置に対して、前記番組の削除制御コマンドを発行し、第２の映像記録再生装置は前記番組の録画データを削除し、利用者が第１の映像記録再生装置に対して録画番組選択操作を行なったときに前記番組を含めた選択画面を出力し、利用者が前記番組の再生を選択すると、記録した前記番組の再生を開始することを特徴とする映像記録再生システム。
【請求項６】
請求項４記載の映像記録再生システムであって、第２の映像記録再生装置から第１の映像記録再生装置へ前記番組の転送が完了した後に、第１の映像記録再生装置は第２の映像記録再生装置に対して、前記番組の削除制御コマンドを発行し、第２の映像記録再生装置は前記番組の録画データを削除することを特徴とする映像記録再生システム。
【請求項７】
請求項３記載の映像記録再生システムであって第１の映像記録再生装置は第２の映像記録再生装置に対して暗号キーを発行し、第２の映像記録再生装置は、第１の映像記録再生装置から予約録画もしくは録画開始を要求された番組の録画時に当該キーを用いて暗号化した上で記録し、前記番組の再生時には暗号化された状態で信号を出力し、第１の映像記録再生装置は、入力された信号を復号して出力することを特徴とする映像記録再生システム。
【請求項８】
請求項４記載の映像記録再生システムであって第１の映像記録再生装置は第２の映像記録再生装置に対して暗号キーを発行し、第２の映像記録再生装置は、第１の映像記録再生装置から予約録画もしくは録画開始を要求された番組の録画時に当該キーを用いて暗号化した上で記録し、前記番組の転送時には暗号化された状態で録画データを転送し、第１の映像記録再生装置は、転送された信号を、記録時もしくは再生時に復号して出力することを特徴とする映像記録再生システム。
【発明の詳細な説明】
【０００１】
【発明の属する技術分野】
本発明は、予約録画の時間帯が重なっても、いずれの番組をも録画することのできる映像記録方法に関する。
【０００２】
【従来の技術】
ビデオテープレコーダ（以下ＶＴＲという）を用いた録画を行なうにあたり、録画の時間帯が重なった場合には、いずれか一方の番組を録画することしかできない。もし、時間帯が重なった二つの番組のいずれを録画しようとするならば、２台のＶＴＲ、もしくは相当の機能（マルチチャネル記録）を有する特殊な映像記録装置が必要となる。録画の時間帯が重なった場合にも双方の番組を録画したいという要求は、利用者にとってごく自然な要求である。特にＶＴＲを２台以上保有している家庭では、個々の機能としては、本要求を実現する能力を備えており、利用者が注意深く使い分ければ、録画の時間帯が重なった場合にも双方の番組を録画することは可能である。図３４に、従来の例として、ＶＴＲが２台設置された構成を示す。各ＶＴＲは独立しておりなんら連携しない。利用者は、一方のＶＴＲ１００１で録画予約操作を行なった際に、予約が重なっていて予約できないことが判明すると、他方のＶＴＲ１００２にＴＶモニタ１００３の入力を切り替えて、ＶＴＲ１００２で録画予約操作を行なう。
【０００３】
しかしながら、この操作を行なうにあたっては、利用者が、録画の時間帯が重なっていることを確実に認識し、その上で、双方の番組を録画するために複数のＶＴＲに予約操作を振り分ける必要があり、利用者に複雑な操作を要求することになる。
【０００４】
これを解決するためには複数の機器が連携して動作する必要がある。時間帯が重なった場合の課題を解決するものではないが、録画の際の連携を実現する従来例として、記録再生システム及び記録再生装置が知られている。（例えば特許文献１参照。）。別の観点として、連携する機器の所有者が異なる場合、あくまで一方の所有者の要求によって録画が行なわれるため、もう一方の所有者の機器から速やかに録画データを削除して占有領域を開放したり、もう一方の所有者の機器では録画データを再生できないようにしなければならない可能性がある。特に後者は、プライバシー保護、著作権保護の観点からも重要なポイントである。
【０００５】
【特許文献１】
特開２００１−２１６６９４号公報
【０００６】
【発明が解決しようとする課題】
この映像記録方法においては、予約録画の時間帯が重なっても、いずれの番組をも録画することのできる映像記録方法が要求されている。
【０００７】
本発明は、予約録画の時間帯が重なっても、いずれの番組をも録画することのできる映像記録方法を提供することを目的とする。
【０００８】
【課題を解決するための手段】
この課題を解決するために、請求項１記載の本発明は、第１の映像記録再生装置から第２の記録再生装置の動作を制御する手段と、利用者が第１の映像記録再生装置に対して番組の録画予約操作を行なったときに、第１の映像記録再生装置は自己の録画予約状況を確認して、上記番組の録画時間帯が既存の他の番組の録画予約時間帯と重なっている場合には、第２の映像記録再生装置に対して上記番組の録画予約制御を行なう手段と、第２の映像記録再生装置は上記録画予約情報に基づいて上記番組を録画する手段とを備えたものである。
【０００９】
また、請求項２記載の本発明は、第１の映像記録再生装置から第２の記録再生装置の動作を制御する手段と、利用者が第１の映像記録再生装置に対して番組の録画予約操作を行なったときに、第１の映像記録再生装置は自己の録画予約状況を確認して、上記番組の録画時間帯が既存の他の番組の録画予約時間帯と重なっている場合には、番組情報を記憶し、番組の放送開始時刻に第２の映像記録再生装置に対して上記番組の録画開始制御コマンドを発行する手段と、番組の放送終了時刻に第２の映像記録再生装置に対して上記番組の録画停止制御コマンドを発行する手段と、第２の映像記録再生装置は上記コマンドに基づいて上記番組の録画開始と録画停止を行なう手段とを備えたものである。
【００１０】
また、請求項３記載の本発明は、請求項１又は請求項２記載の映像記録再生システムの構成に加えて、第１の映像記録再生装置は第２の映像記録再生装置に録画された前記番組の録画情報を保持する手段と、利用者が第１の映像記録再生装置に対して録画番組選択操作を行なったときに前記番組を含めた選択画面を出力する手段と、利用者が前記番組の再生を選択すると、第２の映像記録再生装置に対して、前記番組の再生制御コマンドを発行する手段と同時に、第２の映像記録再生装置の出力が接続された入力を出力として選択する手段と、第２の映像記録再生装置は、前記番組の再生を開始する手段とを備えたものである。
【００１１】
また、請求項４記載の本発明は、請求項１又は請求項２記載の映像記録再生システムの構成に加えて、第２の映像記録再生装置において前記番組の録画が終わった後に、第１の映像記録再生装置は第２の映像記録再生装置に対して、前記番組の転送制御コマンドを発行する手段と、第２の映像記録再生装置は前記番組の録画データを第１の映像記録再生装置に転送する手段と、第１の映像記録再生装置は前記番組の録画データを記録する手段と、記録した前記番組の録画情報を保持する手段と、利用者が第１の映像記録再生装置に対して録画番組選択操作を行なったときに前記番組を含めた選択画面を出力する手段と、利用者が前記番組の再生を選択すると、記録した前記番組再生を開始する手段とを備えたものである。
【００１２】
また、請求項５記載の本発明は、請求項１又は請求項２記載の映像記録再生システムの構成に加えて、第１の映像記録再生装置は第２の映像記録再生装置に録画された前記番組の録画情報を保持する手段と、第２の映像記録再生装置において前記番組の録画が終わった後に、第１の映像記録再生装置は第２の映像記録再生装置に対して、前記番組の再生制御コマンドを発行する手段と、同時に、第２の映像記録再生装置の出力が接続された入力を出力として選択する手段と、第２の映像記録再生装置は、前記番組の再生を開始する手段と、第１の映像記録再生装置は前記番組の記録を開始する手段と、前記番組の再生時間経過後に記録を停止する手段と、記録した前記番組の録画情報を保持する手段と、第２の映像記録再生装置に対して、前記番組の削除制御コマンドを発行する手段と、第２の映像記録再生装置は前記番組の録画データを削除する手段と、利用者が第１の映像記録再生装置に対して録画番組選択操作を行なったときに前記番組を含めた選択画面を出力する手段と利用者が前記番組の再生を選択すると、記録した前記番組の再生を開始する手段とを備えたものである。
【００１３】
また、請求項６記載の本発明は、請求項４記載の映像記録再生システムの構成に加えて、第２の映像記録再生装置から第１の映像記録再生装置へ前記番組の転送が完了した後に、第１の映像記録再生装置は第２の映像記録再生装置に対して、前記番組の削除制御コマンドを発行する手段と、第２の映像記録再生装置は前記番組の録画データを削除する手段とを備えたものである。
【００１４】
また、請求項７記載の本発明は、請求項３記載の映像記録再生システムの構成に加えて、第１の映像記録再生装置は第２の映像記録再生装置に対して暗号キーを発行する手段と、第２の映像記録再生装置は、第１の映像記録再生装置から予約録画もしくは録画開始を要求された番組の録画時に当該キーを用いて暗号化した上で記録する手段と前記番組の再生時には暗号化された状態で信号を出力する手段と、第１の映像記録再生装置は、入力された信号を復号して出力する手段とを備えたものである。
【００１５】
また、請求項８記載の本発明は、請求項４記載の映像記録再生システムの構成に加えて、第１の映像記録再生装置は第２の映像記録再生装置に対して暗号キーを発行する手段と、第２の映像記録再生装置は、第１の映像記録再生装置から予約録画もしくは録画開始を要求された番組の録画時に当該キーを用いて暗号化した上で記録する手段と、前記番組の転送時には暗号化された状態で録画データを転送し、第１の映像記録再生装置は、転送された信号を、記録時もしくは再生時に復号して出力する手段とを備えたものである。
【００１６】
【発明の実施の形態】
以下、本発明の実施の形態について、図１から図３４を用いて説明する。文中カッコ内のＳで始まる番号は、フローチャートのステップを表す。
【００１７】
（実施の形態１）
図１は本発明の映像記録システムの一実施例を示し、図１において１０１は第１のＶＴＲ、１０２は第２のＶＴＲ、１０３はＴＶモニタである。１０１と１０２は制御コマンドを送受信するためのＬＡＮポート１１１、１１２により接続されている。また、１０１の出力端子２１３はＴＶモニタ１０３に接続され、１０２の出力端子２１４は、１０１の入力端子２１５に接続されている。
【００１８】
図２は、録画対象の番組を表す図である。図３、図９は、制御コマンドの内容を表す図である。図４から図８は、各機器が保有する予約録画テーブル、録画番組テーブルの内容を表す図である。図１０から図１５は、主要な制御部の主要な動作を示すフローチャートである。
【００１９】
以上のように構成された映像記録システムについて、以下、その動作を述べる。
利用者は、第１のＶＴＲ１０１に対して操作を行なう。録画対象は、予約時間帯の一部又は全てが重複する第１の番組と第２の番組であり（図２）、第１の番組は、第１のＶＴＲ１０１で録画されるものとして録画予約済みである。
【００２０】
利用者が第２の番組を録画予約するために、第１のＶＴＲに対して予約操作を行なったとき、利用者の操作は第１のＶＴＲの予約録画ＧＵＩ１１６により入力され、録画予約要求（図３）として第１のＶＴＲの番組録画制御部１１７に渡される（Ｓ１０１）。第１のＶＴＲの番組録画制御部１１７は、第１のＶＴＲの予約録画テーブル２１８を参照し、第１のＶＴＲで録画予約可能かどうかを判定する（Ｓ１０２）。この時点の、第１のＶＴＲの予約録画テーブル２１８の内容を図４に示す。
【００２１】
第２の番組の録画時間帯には既に第１の番組の録画時間帯が重なっているので、第１のＶＴＲの番組録画制御部１１７は、第１のＶＴＲでは録画予約不可であると判定し、第２のＶＴＲ１０２に対して第２の番組の録画予約要求（図３）を第１のＶＴＲのコマンド制御部２１９を通じて送信する（Ｓ１０３）。第２のＶＴＲの番組録画制御部１２０は、第２のＶＴＲのコマンド制御部１２１を通じて、第２の番組の録画予約要求を受信すると（Ｓ２０１）、第２のＶＴＲの予約録画テーブル１２２を参照し、第２のＶＴＲ１０２で録画予約可能かどうかを判定する（Ｓ２０２）。
【００２２】
第２のＶＴＲ１０２で録画予約可能であれば、第２のＶＴＲの予約録画テーブル１２２に、第２の番組の録画予約情報を追加し（Ｓ２０３）、第１のＶＴＲ１０１に録画予約受付通知を返信する（Ｓ２０４）。この時点の、第２のＶＴＲの予約録画テーブル１２２の内容を図５に示す。
【００２３】
第１のＶＴＲの番組録画制御部１１７は、第２のＶＴＲ１０２から録画予約受付通知を受信したら（Ｓ１０４）、第１のＶＴＲの予約録画テーブル２１８に、第２の番組の録画予約を第２のＶＴＲが実行中である旨の情報を追加する（Ｓ１０５）。この時点の、第１のＶＴＲの予約録画テーブル２１８の内容を図６に示す。
【００２４】
第１のＶＴＲの番組録画制御部１１７は、第１のＶＴＲの予約録画テーブル２１８を監視し（Ｓ３０１）、第１の番組の開始時刻になると、第１のＶＴＲの録画制御部１２３に、第１の番組の録画開始を要求し、第１のＶＴＲの録画制御部１２３は、第１のＶＴＲのチューナ１２４の設定を第１の番組の放送チャネルに切り替え、第１の番組の記録を開始する（Ｓ３０２）。第１のＶＴＲの番組録画制御部１１７は、第１の番組の終了時刻になると（Ｓ３０３）、第１のＶＴＲの録画制御部１２３に録画終了を要求し、第１のＶＴＲの録画制御部１２３は、第１の番組の録画を終了する（Ｓ３０４）。
【００２５】
第１の番組の記録が終了したとき、第１のＶＴＲの番組録画制御部１１７は、第１の番組の録画情報を、第１のＶＴＲの録画番組テーブル１２５に追加し、同時に、第１のＶＴＲの予約録画テーブル２１８から削除する（Ｓ３０５）。
【００２６】
第２のＶＴＲの番組録画制御部１２０は、第２のＶＴＲの予約録画テーブル１２２を監視し（Ｓ４０１）、第２の番組の開始時刻になると、第２のＶＴＲの録画制御部１２６に、第２の番組の録画開始を要求し、第２のＶＴＲの録画制御部１２６は、第２のＶＴＲのチューナ１２７の設定を第２の番組の放送チャネルに切り替え、第２の番組の記録を開始する（Ｓ４０２）。第２のＶＴＲの番組録画制御部１２０は、第２の番組の終了時刻になると（Ｓ４０３、Ｓ３０６）、第２のＶＴＲの録画制御部１２６に録画終了を要求し、第２のＶＴＲの録画制御部１２６は、第２の番組の録画を終了する（Ｓ４０４）。
【００２７】
第２の番組の記録が終了したとき、第２のＶＴＲの番組録画制御部１２０は、第２の番組の録画情報を、第２のＶＴＲの録画番組テーブル１２８に追加し、同時に、第２のＶＴＲの予約録画テーブル１２２から削除する（Ｓ４０５）。また、第１のＶＴＲの番組録画制御部１１７は、第２の番組の録画情報を、第１のＶＴＲの録画番組テーブル１２５に追加し、同時に、第１のＶＴＲの予約録画テーブル１２２から削除する（Ｓ３０７）。この時点の、第１のＶＴＲの録画番組テーブル１２５の内容を図７に、第２のＶＴＲの録画番組テーブル１２８の内容を図８に示す。
【００２８】
夫々のＶＴＲを操作することにより、夫々の番組を再生することが可能であるが、本実施例では、第１のＶＴＲを操作することで第２の番組を再生することができる。
【００２９】
利用者が、対して録画情報メニュー表示操作を行なうと、第１のＶＴＲの録画番組選択ＧＵＩ１２９は、第１のＶＴＲの録画番組テーブル１２５から、番組再生制御部１３０を通じて録画番組情報を取り出して、映像出力に重畳して第１のＶＴＲの出力端子２１３から出力する（Ｓ５０１）。
【００３０】
利用者が第２の番組を選択すると（Ｓ５０２）、第１のＶＴＲの番組再生制御部１３０は、第１のＶＴＲの録画番組テーブル１２５を参照して第２の番組が第２のＶＴＲに記録されていることを識別し（Ｓ５０３）、第２のＶＴＲに対して、第２の番組の再生開始要求（図９）を送信すると同時に（Ｓ５０４）、第１のＶＴＲの入力端子１１５からの映像及び音声を第１のＶＴＲの出力端子１１３に接続するように第１のＶＴＲの入力切替部１３１を制御する（Ｓ５０５）。
【００３１】
第２のＶＴＲの番組再生制御部１３２は、第１のＶＴＲの番組再生制御部１３０から第２の番組の再生要求を受信すると（Ｓ６０１）、第２のＶＴＲの録画番組テーブル１２８を参照して、第２の番組を特定し（Ｓ６０２）、第２のＶＴＲ１０２に自己記録されていることを確認した上で（Ｓ６０３）、第２のＶＴＲの再生制御部１３３に第２の番組の再生を要求する（Ｓ６０４）。第２のＶＴＲの再生制御部１３３は、第２の番組の再生を開始する。
【００３２】
第２の番組の映像、及び音声は、第２のＶＴＲの出力端子１１４から出力され、第１のＶＴＲの入力端子１１５に入力され、第１のＶＴＲの出力端子１１３から出力される。
【００３３】
（実施の形態２）
図１６は本発明の映像記録システムの一実施例を示し、図１６において２０１は第１のビデオディスクレコーダ（以下ＶＤＲという）、２０２は第２のＶＤＲ、１０３はＴＶモニタである。２０１と２０２は制御コマンドを送受信するためのＬＡＮポート２２１、２１２により接続されている。また、２０１の出力端子２１３はＴＶモニタ１０３に接続され、２０２の出力端子２１４は、２０１の入力端子２１５に接続されている。
【００３４】
図２は、録画対象の番組を表す図である。図２８、図２９は、制御コマンドの内容を表す図である。図４、図６、図７、図８は、各機器が保有する予約録画テーブル、録画番組テーブルの内容を表す図である。図１７、図１８は、主要な制御部の主要な動作を示すフローチャートである。
【００３５】
以上のように構成された映像記録システムについて、以下、その動作を述べる。
利用者は、第１のＶＤＲ２０１に対して操作を行なう。録画対象は、予約時間帯の一部又は全てが重複する第１の番組と第２の番組であり（図２）、第１の番組は、第１のＶＤＲ２０１で録画されるものとして録画予約済みである。
【００３６】
利用者が第２の番組を録画予約するために、第１のＶＤＲに対して予約操作を行なったとき、利用者の操作は第１のＶＤＲの予約録画ＧＵＩ２１６により入力され、録画予約要求（図３）として第１のＶＤＲの番組録画制御部２１７に渡される（Ｓ７０１）。第１のＶＤＲの番組録画制御部２１７は、第１のＶＤＲの予約録画テーブル２１８を参照し、第１のＶＤＲで録画予約可能かどうかを判定する（Ｓ７０２）。この時点の、第１のＶＤＲの予約録画テーブル２１８の内容を図４に示す。
【００３７】
第２の番組の録画時間帯には既に第１の番組の録画時間帯が重なっているので、第１のＶＤＲの番組録画制御部２１７は、第１のＶＤＲでは録画予約不可であると判定し、第１のＶＤＲの予約録画テーブル２１８に、第２の番組の録画を第２のＶＤＲで実行予定である旨の情報を追加する（Ｓ７０５）。この時点の、第１のＶＤＲの予約録画テーブル２１８の内容を図６に示す。
【００３８】
第１のＶＤＲの番組録画制御部２１７は、第１のＶＤＲの予約録画テーブル２１８を監視し、第１の番組の開始時刻及び、第２の番組の開始時刻を識別する。
【００３９】
第１のＶＤＲの番組録画制御部２１７は、第１の番組の開始時刻になると、第１のＶＤＲの録画制御部２２３に、第１の番組の録画開始を要求し、第１のＶＤＲの録画制御部２２３は、第１の番組の放送チャネルに第１のＶＤＲのチューナ／エンコーダ２２４を切り替え、第１の番組の記録を開始する。第１のＶＤＲの番組録画制御部２１７は、第１の番組の終了時刻になると、第１のＶＤＲの録画制御部２２３に録画終了を要求し、第１のＶＤＲの録画制御部２２３は、第１の番組の録画を終了する。
【００４０】
第１の番組の記録が終了したとき、第１のＶＤＲの番組録画制御部２１７は、第１の番組の録画情報を、第１のＶＤＲの録画番組テーブル２２５に追加し、同時に、第１のＶＤＲの予約録画テーブル２１８から削除する。
【００４１】
第１のＶＤＲの番組録画制御部２１７は、第２の番組の開始時刻になると、第２のＶＤＲに、第２の番組の録画開始要求（図２８）を、第１のＶＤＲコマンド制御部２１９を通じて送信する。第２のＶＤＲの番組録画制御部２２０は、第２のＶＤＲコマンド制御部２２１を通じて、第２の番組の録画予約要求を受信すると（Ｓ８０１）、第２のＶＤＲの予約録画テーブル２２２を参照し、第２のＶＤＲ２０２で録画可能かどうかを判定する（Ｓ８０２）。
【００４２】
録画可能であれば、第２のＶＤＲの番組録画制御部２２０は、第２のＶＤＲの録画制御部に、第２の番組の録画開始を要求し、第２のＶＤＲの録画制御部２２６は、第２の番組の放送チャネルに第２のＶＤＲのチューナ／エンコーダ２２７を切り替え、第２の番組の記録を開始する（Ｓ８０３）。第１のＶＤＲの番組録画制御部２１７は、第２の番組の終了時刻になると、第２のＶＤＲの番組録画制御部２２０に録画終了要求（図２９）を送信する。第２のＶＤＲの番組録画制御部２２０は録画終了要求を受信すると（Ｓ８０５）、第２のＶＤＲの録画制御部２２６に録画終了を要求し、第２のＶＤＲの録画制御部２２６は、第２の番組の録画を終了する（Ｓ８０６）。
【００４３】
第２の番組の記録が終了したとき、第２のＶＤＲの番組録画制御部２２０は、第２の番組の録画情報を、第２のＶＤＲの録画番組テーブル２２８に追加する。また、第１のＶＤＲの番組録画制御部２１７は、第２の番組の録画情報を、第１のＶＤＲの録画番組テーブル２２５に追加し、同時に、第１のＶＤＲの予約録画テーブル２１８から削除する。この時点の、第１のＶＤＲの録画番組テーブル２２５の内容を図７に、第２のＶＤＲの録画番組テーブル２２８の内容を図８に示す。
【００４４】
再生時の動作は、実施の形態１と同様であるが、記録された映像はエンコーダによって圧縮されているので、再生時には、第１のＶＤＲのデコーダ２２９、もしくは、第２のＶＤＲのデコーダ２３０によってデコードされる。
【００４５】
（実施の形態３）
図１６は本発明の映像記録システムの一実施例を示し、図１６において２０１は第１のビデオディスクレコーダ（以下ＶＤＲという）、２０２は第２のＶＤＲ、１０３はＴＶモニタである。２０１と２０２は制御コマンドを送受信するためのＬＡＮポート２２１、２１２により接続されている。また、２０１の出力端子２１３はＴＶモニタ１０３に接続され、２０２の出力端子２１４は、２０１の入力端子２１５に接続されている。
【００４６】
図２は、録画対象の番組を表す図である。図９、図２８、図２９は、制御コマンドの内容を表す図である。図２２は、録画番組テーブルの内容を表す図である。図１９、図２０は、主要な制御部の主要な動作を示すフローチャートである。
【００４７】
以上のように構成された映像記録システムについて、以下、その動作を述べる。利用者は、第１のＶＤＲ２０１に対して操作を行なう。録画対象は、予約時間帯の一部又は全てが重複する第１の番組と第２の番組であり（図２）、第１の番組は、第１のＶＤＲ２０１で録画されるものとして録画予約済みである。
【００４８】
第１の番組の録画時の動作、及び第２の番組の録画終了までの動作は、実施の形態２と同様である。第２の番組の記録が終了したとき、第２のＶＤＲの番組録画制御部２２０は、第２の番組の録画情報を、第２のＶＤＲの録画番組テーブル２２８に追加し、同時に、第２のＶＤＲの予約録画テーブルから削除する（Ｓ１００３）。第１のＶＤＲの番組録画制御部２１７は、第２の番組の録画情報を、第１のＶＤＲの予約録画テーブル２１８から削除し、当該情報を一時的に保持する（Ｓ９０３）。
【００４９】
次に、第１のＶＤＲの番組録画制御部２１７は、第２のＶＤＲ２０２に対して、第２の番組の再生開始要求（図９）を送信すると同時に（Ｓ９０４）、第１のＶＤＲの録画制御部２２３に対して、第１のＶＤＲの入力端子２１５からの入力の録画開始を要求する（Ｓ９０５）。第１のＶＤＲの録画制御部２２３は、第１のＶＤＲの入力端子２１５からの入力の録画を開始する。
【００５０】
第２のＶＤＲの番組再生制御部２３２は、第１のＶＤＲの番組録画制御部２１７から第２の番組の再生要求を受信すると（Ｓ１００４）、第２のＶＤＲの録画番組テーブル２２８を参照して、第２の番組を特定し、再生を開始する（Ｓ１００５）。
【００５１】
第１のＶＤＲの番組録画制御部２１７は、第１のＶＤＲの入力端子２１５からの入力の録画開始を要求してから、第２の番組の録画時間が経過した後に（Ｓ９０６）、第１のＶＤＲの録画制御部２２３に対して、録画終了を要求する（Ｓ９０７）。第１のＶＤＲの録画制御部２２３は、録画を終了する。同時に、第１のＶＤＲの番組録画制御部２１７は、第２のＶＤＲ２０２に対して、第２の番組の削除要求（図２１）を送信する（Ｓ９０８）。
【００５２】
第１のＶＤＲの番組録画制御部２１７は、一時的に保持していた第２の番組の録画情報を、自己の番組として、第１のＶＤＲの録画番組テーブル２２５に追加する（Ｓ９０９）。
【００５３】
第２のＶＤＲでは、第２の番組の削除要求を受信したときには（Ｓ１００８）、既に第２の番組の再生を完了している（Ｓ１００６、Ｓ１００７）。第２のＶＤＲの番組録画制御部２２０は、第２の番組の削除要求を受信すると、第２のＶＤＲの録画制御部２２６に対して第２の番組の削除を要求し（Ｓ１００９）、第２のＶＤＲの録画制御部２２６は第２の番組を削除する。さらに、第２のＶＤＲの番組録画制御部２２０は、第２の番組の録画情報を、第２のＶＤＲの録画番組テーブル２２８から削除する（Ｓ１０１０）。この時点の、第１のＶＤＲの録画番組テーブル２２５の内容を図２２に示す。
【００５４】
この結果、第１の番組、第２の番組は共に、第１のＶＤＲ２０１内に位置する。利用者は、第１のＶＤＲを操作することで、第２の番組を再生することができる。
【００５５】
利用者が、対して録画情報メニュー表示操作を行なうと、第１のＶＤＲの録画番組選択ＧＵＩ２２９は、第１のＶＤＲの録画番組テーブル２２５から、番組再生制御部２３０を通じて録画番組情報を取り出して、映像出力に重畳して第２のＶＴＲの出力端子２１３から出力する（Ｓ５０１）。
【００５６】
利用者が第２の番組を選択すると（Ｓ５０２）、第１のＶＤＲの番組再生制御部２３０は、第１のＶＴＲの録画番組テーブル２２５を参照して第２の番組が第１のＶＤＲ２０１に記録されていることを識別し（Ｓ５０３）、第１のＶＤＲの再生制御部２３４に対して、第２の番組の再生要求を送信する。第２のＶＤＲの再生制御部２３４は、第２の番組の再生を開始する（Ｓ５０６）
（実施の形態４）
図２３は本発明の映像記録システムの一実施例を示し、図２３において２０１は第１のビデオディスクレコーダ（以下ＶＤＲという）、２０２は第２のＶＤＲ、１０３はＴＶモニタである。２０１と２０２は制御コマンド、及び番組データを送受信するためのＬＡＮポート２２１、２１２により接続されている。また、２０１の出力端子２１３はＴＶモニタ１０３に接続されている。
【００５７】
図２は、録画対象の番組を表す図である。図３、図２４、図２８、図２９は、制御コマンドの内容を表す図である。図２２は、録画番組テーブルの内容を表す図である。図２５、図２６は、主要な制御部の主要な動作を示すフローチャートである。
【００５８】
以上のように構成された映像記録システムについて、以下、その動作を述べる。利用者は、第１のＶＤＲ２０１に対して操作を行なう。録画対象は、予約時間帯の一部又は全てが重複する第１の番組と第２の番組であり（図２）、第１の番組は、第１のＶＤＲ２０１で録画されるものとして録画予約済みである。
【００５９】
第１の番組の録画時の動作、及び第２の番組の録画終了までの動作は、実施の形態２と同様である。第２の番組の記録が終了したとき、第２のＶＤＲの番組録画制御部２２０は、第２の番組の録画情報を、第２のＶＤＲの録画番組テーブル２２８に追加し、同時に、第２のＶＤＲの予約録画テーブルから削除する（Ｓ１２０３）。第１のＶＤＲの番組録画制御部２１７は、第２の番組の録画情報を、第１のＶＤＲの予約録画テーブル２１８から削除し、当該情報を一時的に保持する（Ｓ１１０３）。
【００６０】
次に、第１のＶＤＲの番組録画制御部２１７は、第２のＶＤＲ２０２に対して、第２の番組の転送要求（図２４）を送信する（Ｓ１１０４）と同時に、第１のＶＤＲの録画制御部２２３と第１のＶＤＲの転送制御部３０１に、第２の番組データの受信待ちうけを要求する（Ｓ１１０５）。
【００６１】
第２のＶＤＲの番組再生制御部２３２は、第１のＶＤＲ２０１から第２の番組の転送要求を受信すると（Ｓ１２０４）、第２のＶＤＲの録画番組テーブル２２８を参照して第２の番組を特定し、第２のＶＤＲの転送制御部３０２に、第２の番組の、第２のＶＤＲへの転送を要求する（Ｓ１２０５）。第２のＶＤＲの転送制御部３０２は、第２のＶＤＲに第２の番組を転送する。
【００６２】
第１のＶＤＲの転送制御部３０１は、第２のＶＤＲ２０２から第２の番組データを受信し、第１のＶＤＲの録画制御部２２３に転送する。第１のＶＤＲの録画制御部２２３は第２の番組データを記録する。
【００６３】
第１の番組録画制御部２１７は、第１のＶＤＲの録画制御部２２３の状態を監視し（Ｓ１１０６）、第２の番組データの記録が完了すると、第２のＶＤＲ２０２に対して、第２の番組の削除要求（図２１）を送信する（Ｓ１１０７）。
【００６４】
第１のＶＤＲの番組録画制御部２１７は、一時的に保持していた第２の番組の録画情報を、自己の番組として、第１のＶＤＲの録画番組テーブル２２５に追加する（Ｓ１１０８）。
【００６５】
第２のＶＤＲの番組録画制御部２２０は、第２の番組の削除要求を受信すると（Ｓ１２０６）、第２のＶＤＲの録画制御部２２６に対して第２の番組の削除を要求し（Ｓ１１１２０７）、第２のＶＤＲの録画制御部２２６は第２の番組を削除する。さらに、第２のＶＤＲの番組録画制御部２２０は、第２の番組の録画情報を、第２のＶＤＲの録画番組テーブル２２８から削除する（Ｓ１２０８）。
【００６６】
この結果、第１の番組、第２の番組は共に、第１のＶＤＲ２０１内に位置する。利用者は、第１のＶＤＲを操作することで、第２の番組を再生することができる。再生時の動作は、実施の形態３と同様である。
【００６７】
（実施の形態５）
図２７は本発明の映像記録システムの一実施例を示し、図２７において２０１は第１のビデオディスクレコーダ（以下ＶＤＲという）、２０２は第２のＶＤＲ、１０３はＴＶモニタである。２０１と２０２は制御コマンド、及び番組データを送受信するためのＬＡＮポート２２１、２１２により接続されている。また、２０１の出力端子２１３はＴＶモニタ１０３に接続されている。
【００６８】
図２は、録画対象の番組を表す図である。図２４、図２９、図３０は、制御コマンドの内容を表す図である。図２２は、録画番組テーブルの内容を表す図である。図２５、図２６は、主要な制御部の主要な動作を示すフローチャートである。
【００６９】
以上のように構成された映像記録システムについて、以下、その動作を述べる。利用者は、第１のＶＤＲ２０１に対して操作を行なう。録画対象は、予約時間帯の一部又は全てが重複する第１の番組と第２の番組であり（図２）、第１の番組は、第１のＶＤＲ２０１で録画されるものとして録画予約済みである。
【００７０】
実施の形態５の動作は、実施の形態４とほぼ同じであり、第１のＶＤＲが第２のＶＤＲに録画させる場合に番組データを暗号化することと、番組データを第２のＶＤＲから第１のＶＤＲに転送した後、第２のＶＤＲに記録された番組データを変更する必要がない点が異なるため、その２点について、実施の形態４の動作に照らして説明する。
【００７１】
まず第２の番組の、録画時の動作について説明する。録画時の第１のＶＤＲの番組録画制御部２１７の動作を図３１に示す。第１のＶＤＲの番組録画制御部２１７は、第２の番組の開始時刻になると、第２のＶＤＲに、暗号化キー情報をパラメータとして含む第２の番組の録画開始要求（図３０）を、第１のＶＤＲコマンド制御部２１９を通じて送信する。第２のＶＤＲの番組録画制御部２２０は、第２のＶＤＲコマンド制御部２２１を通じて、第２の番組の録画予約要求を受信すると（Ｓ８０１）、第２のＶＤＲの予約録画テーブル２２２を参照し、第２のＶＤＲ２０２で録画可能かどうかを判定する（Ｓ８０２）。
【００７２】
録画可能であれば、第２のＶＤＲの番組録画制御部２２０は、第２のＶＤＲの録画制御部に、第２の番組の録画開始を要求し、第２のＶＤＲの録画制御部２２６は、第２の番組の放送チャネルに第２のＶＤＲのチューナ／エンコーダ２２７を切り替え、暗号器４０１に暗号化キーを渡し（Ｓ１３０１）、第２の番組の記録を開始する（Ｓ８０３）。第２の番組は、第１のＶＤＲが指定した暗号化キーによって暗号化された上で記録される。記録が完了すると、第２のＶＤＲの番組録画制御部２２０は、第２の番組が第２のＶＤＲでは視聴不可である情報を含めて、第２のＶＤＲの録画番組テーブル２２５を更新する。この時点の、第２のＶＤＲの録画番組テーブル２２５の内容を図３４に示す。
【００７３】
次に、転送時の動作について説明する。録画終了後、第１のＶＤＲの番組録画制御部２１７は、第２のＶＤＲ２０２に対して、第２の番組の転送要求（図２４）を送信する（Ｓ１１０４）と同時に、第１のＶＤＲの録画制御部２２３と第１のＶＤＲの転送制御部３０１に、暗号化された第２の番組データの受信待ちうけを要求する（Ｓ１４０１）。
【００７４】
第２のＶＤＲの番組再生制御部２３２は、第１のＶＤＲ２０１から第２の番組の転送要求を受信すると（Ｓ１２０４）、第２のＶＤＲの録画番組テーブル２２８を参照して第２の番組を特定し、第２のＶＤＲの転送制御部３０２に、第２の番組の、第２のＶＤＲへの転送を要求する（Ｓ１２０５）。第２のＶＤＲの転送制御部３０２は、第２のＶＤＲに第２の番組を転送する。
【００７５】
第１のＶＤＲの転送制御部３０１は、第２のＶＤＲ２０２から第２の番組データを受信し、第１のＶＤＲの録画制御部２２３に転送する。第１のＶＤＲの録画制御部２２３は第２の番組データを複号器に送る。複号器に送られたデータは複号され、記録される。
【００７６】
第１のＶＤＲにおける再生時の動作は、実施の形態４と同様である。第２のＶＤＲには、番組データが残っているが、通常の操作では再生できない。仮に再生動作が行なえたとしても、暗号化されているのでデコードは不可能であり、第２のＶＤＲからの操作で再生することはできない。
【００７７】
なお、以上の説明では、映像記録再生装置をＶＴＲ、ＶＤＲを用いた例で示したが、ＶＤＲは、ハードディスクレコーダ、ＤＶＤレコーダだけでなく、チューナカードを搭載したＰＣとビデオ録画ソフトウェアで構成されるビデオ録画システムを用いても同様に実施可能である。
【００７８】
また、本発明は第２の映像記録再生装置が複数ある場合についても、それぞれの映像記録再生装置に対して録画予約要求や録画開始要求を行なうものとする。これにより録画不能な状況が発生する確率を減らすことができる。
【００７９】
また、本発明が想定する構成は、同一部屋内の映像記録再生装置間の連携だけでなく、別の部屋にある映像記録再生装置との連携も可能である。特に、請求項４及び請求項６の構成については、インターネットを経由して全く別の場所にある映像記録再生装置と連携して番組データを転送することができる。
【００８０】
【発明の効果】
以上のように本発明によれば、複数の映像記録再生装置を利用して、予約録画の時間帯が重なっても、平易な操作方法で、自機で一方の番組、他の機器を使ってもう一方の番組の録画を行なうことができるという顕著な効果が得られる。
【００８１】
請求項３、及び請求項４記載の本発明によれば、前記効果に加えて、再生時にも実際に録画した機器を意識せずに、番組を選択して再生することができるという効果も得られる。
【００８２】
請求項５、及び請求項６記載の本発明によれば、前記二つの効果に加えて、第１の映像記録再生装置の要求として録画した番組を、プライバシーや著作権保護のために、第２の映像記録再生装置では視聴できないようにすることができるという効果も得られる。
【図面の簡単な説明】
【図１】本発明の一実施例の形態による映像記録システムの構成を示す図
【図２】録画対象の番組を表す図
【図３】予約録画要求制御コマンドの内容を表す図
【図４】第１のＶＴＲの予約録画テーブルの内容を示す図
【図５】第２のＶＴＲの予約録画テーブルの内容を示す図
【図６】第１のＶＴＲの予約録画テーブルの内容を示す図
【図７】第１のＶＴＲの録画番組テーブルの内容を示す図
【図８】第２のＶＴＲの録画番組テーブルの内容を示す図
【図９】再生開始要求制御コマンドの内容を表す図
【図１０】第１のＶＴＲの、予約時の番組録画制御部の動作を表すフローチャート
【図１１】第２のＶＴＲの、予約時の番組録画制御部の動作を表すフローチャート
【図１２】第１のＶＴＲの、記録時の番組録画制御部の動作を表すフローチャート
【図１３】第２のＶＴＲの、記録時の番組録画制御部の動作を表すフローチャート
【図１４】第１のＶＴＲの、再生時の番組再生制御部の動作を表すフローチャート
【図１５】第２のＶＴＲの、再生時の番組再生制御部の動作を表すフローチャート
【図１６】本発明の一実施例の形態による映像記録システムの構成を示す図
【図１７】第１のＶＤＲの、予約時の番組録画制御部の動作を表すフローチャート
【図１８】第２のＶＤＲの、記録時の番組録画制御部の動作を表すフローチャート
【図１９】第１のＶＤＲの、記録時の番組録画制御部の動作を表すフローチャート
【図２０】第２のＶＤＲの、再生時の番組再生制御部の動作を表すフローチャート
【図２１】削除要求制御コマンドの内容を表す図
【図２２】第１のＶＤＲの録画番組テーブルの内容を示す図
【図２３】本発明の一実施例の形態による映像記録システムの構成を示す図
【図２４】転送要求制御コマンドの内容を表す図
【図２５】第１のＶＤＲの、記録時の番組録画制御部の動作を表すフローチャート
【図２６】第２のＶＤＲの、記録時の番組録画制御部の動作を表すフローチャート
【図２７】本発明の一実施例の形態による映像記録システムの構成を示す図
【図２８】録画開始要求制御コマンドの内容を表す図
【図２９】録画終了要求制御コマンドの内容を表す図
【図３０】録画開始（要暗号化）要求制御コマンドの内容を表す図
【図３１】第２のＶＤＲの、記録時の番組録画制御部の動作を表すフローチャート
【図３２】第１のＶＤＲの、記録時の番組録画制御部の動作を表すフローチャート
【図３３】第２のＶＤＲの、転送時の番組再生制御部の動作を表すフローチャート
【図３４】第２のＶＤＲの録画番組テーブルの内容を示す図
【図３５】複数ＶＴＲを用いた録画予約を行なう際の従来の接続構成を示す図
【符号の説明】
１０１  第１のＶＴＲ
１０２  第２のＶＴＲ
１０３  ＴＶモニタ
１１１  第１のＶＴＲのＬＡＮポート
１１２  第２のＶＴＲのＬＡＮポート
１１３  第１のＶＴＲの出力端子
１１４  第２のＶＴＲの出力端子
１１５  第１のＶＴＲの入力端子
１１６  第１のＶＴＲの予約録画ＧＵＩ
１１７  第１のＶＴＲの予約録画制御部
１１８  第１のＶＴＲの予約録画テーブル
１１９  第１のＶＴＲのコマンド制御部
１２０  第２のＶＴＲの予約録画制御部
１２１  第２のＶＴＲのコマンド制御部
１２２  第２のＶＴＲの予約録画テーブル
１２３  第１のＶＴＲの録画制御部
１２４  第１のＶＴＲのチューナ
１２５  第１のＶＴＲの録画番組テーブル
１２６  第２のＶＴＲの録画制御部
１２７  第２のＶＴＲのチューナ
１２８  第２のＶＴＲの録画番組テーブル
１２９  第１のＶＴＲの録画番組選択ＧＵＩ
１３０  第１のＶＴＲの番組再生制御部
１３１  第１のＶＴＲの入力切替部
１３２  第２のＶＴＲの番組再生制御部
１３３  第２のＶＴＲの再生制御部
１３４  第１のＶＴＲの再生制御部
２０１  第１のＶＤＲ
２１１  第１のＶＤＲのＬＡＮポート
２１２  第２のＶＤＲのＬＡＮポート
２１３  第１のＶＤＲの出力端子
２１４  第２のＶＤＲの出力端子
２１５  第１のＶＤＲの入力端子
２１６  第１のＶＤＲの予約録画ＧＵＩ
２１７  第１のＶＤＲの予約録画制御部
２１８  第１のＶＤＲの予約録画テーブル
２１９  第１のＶＤＲコマンド制御部
２２０  第２のＶＤＲの予約録画制御部
２２１  第２のＶＤＲコマンド制御部
２２２  第２のＶＤＲの予約録画テーブル
２２３  第１のＶＤＲの録画制御部
２２４  第１のＶＤＲのチューナ／エンコーダ
２２５  第１のＶＤＲの録画番組テーブル
２２６  第２のＶＤＲの録画制御部
２２７  第２のＶＤＲのチューナ／エンコーダ
２２８  第２のＶＤＲの録画番組テーブル
２２９  第１のＶＴＲのデコーダ
２３０  第２のＶＤＲのデコーダ
２３１  第１のＶＤＲの番組再生制御部
２３２  第２のＶＤＲの番組再生制御部
２３３  第２のＶＤＲの再生制御部
２３４  第１のＶＤＲの再生制御部
３０１  第１のＶＤＲの転送制御部
３０２  第２のＶＤＲの転送制御部
【図１】
2004153520.tif 000003
【図２】
2004153520.tif 000004
【図３】
2004153520.tif 000005
【図４】
2004153520.tif 000006
【図５】
2004153520.tif 000007
【図６】
2004153520.tif 000008
【図７】
2004153520.tif 000009
【図８】
2004153520.tif 000010
【図９】
2004153520.tif 000011
【図１０】
2004153520.tif 000012
【図１１】
2004153520.tif 000013
【図１２】
2004153520.tif 000014
【図１３】
2004153520.tif 000015
【図１４】
2004153520.tif 000016
【図１５】
2004153520.tif 000017
【図１６】
2004153520.tif 000018
【図１７】
2004153520.tif 000019
【図１８】
2004153520.tif 000020
【図１９】
2004153520.tif 000021
【図２０】
2004153520.tif 000022
【図２１】
2004153520.tif 000023
【図２２】
2004153520.tif 000024
【図２３】
2004153520.tif 000025
【図２４】
2004153520.tif 000026
【図２５】
2004153520.tif 000027
【図２６】
2004153520.tif 000028
【図２７】
2004153520.tif 000029
【図２８】
2004153520.tif 000030
【図２９】
2004153520.tif 000031
【図３０】
2004153520.tif 000032
【図３１】
2004153520.tif 000033
【図３２】
2004153520.tif 000034
【図３３】
2004153520.tif 000035
【図３４】
2004153520.tif 000036
【図３５】
2004153520.tif 000037